(57)【特許請求の範囲】
【請求項１】
筒状のスイッチケースと、前記スイッチケースの上部開口に装着された軟質の押しボタンと、前記スイッチケースと前記押しボタンで形成された空間に配置されたスイッチ部品とを具備するプッシュスイッチであって、
前記押しボタンは、前記スイッチケースに装着されたカバー部材により、前記スイッチケースの上部全周に圧縮された状態で固定されており、
前記スイッチケースの下側内部に、グロメットが圧縮された状態で固定されており、
前記スイッチ部品は、スイッチ基板上に搭載されており、
前記スイッチ基板の外周縁は、前記押しボタンと前記グロメットによって上下から挟持され、
前記グロメットに設けられた挿通孔から、前記スイッチ部品の信号を取り出すためのリード線が導出されている、
ことを特徴とするプッシュスイッチ。
【請求項２】
前記押しボタンと前記グロメットは、前記スイッチ基板の外周において互いに圧接していることを特徴とする請求項１に記載のプッシュスイッチ。
【請求項３】
前記スイッチケースの外周には、嵌合突起が複数設けられており、
前記カバー部材は、開口を有する上部壁と、前記上部壁の周縁から垂下した側周壁からなり、前記側周壁には、前記嵌合突起に嵌合する開口部が複数設けられている、
ことを特徴とする請求項１又は２に記載のプッシュスイッチ。
【請求項４】
前記挿通孔の内部に環状突起が複数形成されており、前記環状突起が前記リード線の外周に圧接していることを特徴とする請求項１乃至３のいずれかに記載のプッシュスイッチ。
【発明の詳細な説明】
【技術分野】
【０００１】
本発明は、防水型のプッシュスイッチに関する。
【背景技術】
【０００２】
防水型のプッシュスイッチとして、例えば特許文献１には、図９に示すように、筒状のケース１０１の開口１０２に可撓性材料からなる押しボタン１０３を備えたプッシュスイッチが記載されている。
【０００３】
このプッシュスイッチでは、ケース１０１の内部にスイッチ部品が搭載された基板１１０が収納されており、この基板１１０はケースの内面に係止された裏面カバー１１３で支持されている。
そして、基板１１０に半田付けされたリード線１１２は、裏面カバー１１３を通してケース１０１の外部に導出されている。
また、ケース１０１の開口縁には凸縁１０４のある環状リブ１０５が設けられ、押しボタン１０３の外周には凸縁１０４とケース１０１の間に形成された溝に嵌合されるように第二凸縁１０７が設けられている。
【先行技術文献】
【特許文献】
【０００４】
【特許文献１】特開２００５−２０３３１５号公報
【発明の概要】
【発明が解決しようとする課題】
【０００５】
図９のプッシュスイッチでは、押しボタン内の防水性を保つためには、ケースの環状リブ１０５の上面やケースの下面開口の２箇所にポッティング材（封止材）１０９、１１４を塗布する必要がある。
しかしながら、ポッティング材は一般に硬化時間が１日程度と非常に長く、乾燥スペースを確保する必要もあるため、作業性が極めて悪い。
【０００６】
そこで本発明は、上記のような従来技術が抱える課題を解決し、ポッティング材を使用せずに若しくはポッティング材の使用量を最小限に抑制して、信頼性の高い防水機能を有するプッシュスイッチを提供することを目的とするものである。
【課題を解決するための手段】
【０００７】
本発明の請求項１のプッシュスイッチは、
筒状のスイッチケースと、前記スイッチケースの上部開口に装着された軟質の押しボタンと、前記スイッチケースと前記押しボタンで形成された空間に配置されたスイッチ部品とを具備するプッシュスイッチであって、
前記押しボタンは、前記スイッチケースに装着されたカバー部材により、前記スイッチケースの上部全周に圧縮された状態で固定されており、
前記スイッチケースの下側内部に、グロメットが圧縮された状態で固定されており、
前記スイッチ部品は、スイッチ基板上に搭載されており、
前記スイッチ基板の外周縁は、前記押しボタンと前記グロメットによって上下から挟持され、
前記グロメットに設けられた挿通孔から、前記スイッチ部品の信号を取り出すためのリード線が導出されている、
ことを特徴としているものである。
また、本発明の請求項２のプッシュスイッチは、請求項１のプッシュスイッチにおいて、前記押しボタンと前記グロメットは、前記スイッチ基板の外周において互いに圧接していることを特徴としているものである。
【０００８】
また、本発明の請求項３のプッシュスイッチは、請求項１又は２のプッシュスイッチにおいて、前記スイッチケースの外周には、嵌合突起が複数設けられており、前記カバー部材は、開口を有する上部壁と、前記上部壁の周縁から垂下した側周壁からなり、前記側周壁には、前記嵌合突起に嵌合する開口部が複数設けられている、
ことを特徴としているものである。
また、本発明の請求項４のプッシュスイッチは、請求項１乃至３のいずれかのプッシュスイッチにおいて、前記挿通孔の内部に環状突起が複数形成されており、前記環状突起が前記リード線の外周に圧接していることを特徴としているものである。
【発明の効果】
【０００９】
本発明の請求項１のプッシュスイッチによれば、押しボタンはスイッチケースの上部全周に圧縮された状態で固定され、グロメットはスイッチケースの内部に圧縮された状態で固定され、スイッチ部品が配置された内部空間への水の浸入を効果的に防ぐことができるため、従来のようなポッティング材を使用することなく信頼性の高い防水機能が得られる。
本発明の請求項２のプッシュスイッチによれば、押しボタンとグロメットはスイッチ基板の外周において互いに圧接しているため、スイッチ部品が配置された内部の空間は２重に密閉された状態になり、より一層信頼性の高い防水機能が得られる。
【図面の簡単な説明】
【００１１】
【図１】本発明の第１の実施形態例に係るプッシュスイッチの上面図である。
【図２】図１中のＡ−Ａ線における断面図である。
【図３】図１のプッシュスイッチにおけるグロメットを示し、（ａ）は側面図、（ｂ）は上面斜視図である。
【図４】図１のプッシュスイッチにおけるスイッチケースを示し、（ａ）は側面図、（ｂ）は上面斜視図である。
【図５】図１のプッシュスイッチの組立工程を説明するためのである。
【図６】本発明の第１の実施形態例に係るプッシュスイッチの動作を説明するための断面図である。
【図７】本発明の第２の実施形態例に係るプッシュスイッチの断面図である。
【図８】図７のプッシュスイッチにおけるスイッチケースの上面斜視図である。
【図９】従来のプッシュスイッチの断面図である。
【発明を実施するための形態】
【００１２】
本発明のプッシュスイッチは、例えば図２に示すように、筒状のスイッチケース（５０）と押しボタン（６０）で形成された空間にスイッチ部品（１０）が配置されたプッシュスイッチであって、押しボタン（６０）はカバー部材（７０）によってスイッチケース（５０）の上部全周に圧縮された状態で固定され、スイッチケース（５０）の下側内部にグロメット（４０）が圧縮された状態で固定され、スイッチ部品（１０）が搭載されたスイッチ基板（２０）の外周縁は押しボタン（６０）とグロメット（４０）によって上下から挟持され、グロメット（４０）の挿通孔からリード線（３０）が導出されているものである。
また、本発明の別のプッシュスイッチは、例えば図７に示すように、有底筒状のスイッチケース（８０）と押しボタン（６０）で形成された空間にスイッチ部品（１０）が配置されたプッシュスイッチであって、押しボタン（６０）はカバー部材（７０）によってスイッチケース（８０）の上部全周に圧縮された状態で密着して固定され、スイッチ部品（１０）が搭載されたスイッチ基板（２０）の外周縁は押しボタン（６０）とスイッチケース（８０）によって上下から挟持され、スイッチケース（８０）の底部に設けられた挿通孔からリード線（３０）が導出されているものである。
以下、図面に基づいて本発明の実施の形態を例示的に説明する。
【００１３】
（第１の実施形態例）
本例のプッシュスイッチの構成を図１乃至図４を用いて説明する。
図１は本例に係るプッシュスイッチの上面図、図２は図１中のＡ−Ａ線における断面図、図３はグロメットの側面図と上面斜視図、図４はスイッチケースの側面図と上面斜視図である。
【００１４】
本例のプッシュスイッチ１Ａは、図示しない車両用ドアハンドル装置に装着されるものである。ユーザがドアロック装置を作動させるときは、車両用ドアハンドル装置から露出した押しボタン６０の上部操作壁６１を押圧することによってドアの施錠もしくは解錠を行うことができるようになっている。
【００１５】
本例のプッシュスイッチ１Ａは、スイッチ部品１０と、スイッチ基板２０と、リード線３０と、グロメット４０と、スイッチケース５０と、押しボタン６０と、カバー部材７０を備えている。
【００１６】
スイッチ部品１０は、スイッチ基板２０の上に搭載されており、円柱状の操作部１１と、直方体状の本体部１２と、端子１３を有する。
操作部１１は本体部１２内から上方に突出し、上下方向に移動可能に構成され、本体部１２内の図示しない弾性部材により上方に付勢されている。
操作部１１が下方に押圧されるとスイッチがオンされ、スイッチ基板２０に固定されたリード線３０により外部に信号が伝わる。
【００１７】
グロメット４０はゴム等の弾性を有する軟質樹脂からなる一体成形品であり、図３に示すように、上部４１は拡径されており、下部４２は２つに分離している。
上部４１には、凹部４３が設けられている。この凹部４３はスイッチ基板２０と同じ形状になっており、スイッチ基板２０を密着状態で収容することができる。
凹部４３の中央底部には開口４４が設けられ、開口４４を挟んで両側にリード線３０を引き出すための２つの挿通孔４５が設けられている。
挿通孔４５の内径はリード線３０を引き出せる最小限の寸法になっており、挿通孔４５の内部には環状突起４６が複数形成されている。
【００１８】
スイッチケース５０は硬質樹脂で筒状に成形され、図４に示すように、内周面にはグロメット４０を位置決めするための段差部５１と、スイッチ基板２０の中央部を支持するための支持部５２が設けられている。
また、スイッチケース５０の外周には、カバー部材７０を固定するための嵌合突起５３が複数設けられている。
このスイッチケース５０の内部空間の寸法は、グロメット４０を装着した際にグロメット４０が圧縮されて密着した状態で固定される寸法になっている。
【００１９】
押しボタン６０はゴム等の弾性を有する軟質樹脂からなる一体成形品であり、上部操作壁６１と、この上部操作壁６１の外周縁から下方に筒状に延びた側壁６２を有するキャップ状を呈している。
側壁６２の中間部には、全周にわたって外側に延びた鍔部６３が形成されており、鍔部６３よりも下方の領域６４は、鍔部６３よりも上方の領域６５よりも厚肉になっている。
【００２０】
カバー部材７０は、硬質樹脂で形成され、開口を有する上部壁７１と、この上部壁７１の周縁から垂下した側周壁７２からなる。
側周壁７２には、スイッチケース５０の嵌合突起５３に嵌合する開口部７３が複数設けられている。
【００２１】
本例のプッシュスイッチ１Ａの組立工程を図５を参照して説明する。
先ず、スイッチ基板２０にスイッチ部品１０を載置して端子１３を半田付けすると共に、２本のリード線３０を半田付けする（図５（ａ）参照）。
次に、グロメット４０の挿通孔４５にリード線３０を通し、スイッチ基板２０をグロメット４０の凹部４３に嵌め込む（図５（ｂ）参照）。
【００２２】
次に、グロメット４０の上部４１がスイッチケース５０の段差部５１に突き当たるまで、グロメット４０をスイッチケース５０に圧入する（図５（ｃ）参照）。
なお、スイッチケース５０の内部寸法とグロメット４０の外部寸法は、グロメット全体がスイッチケース内で圧縮された状態で固定されるように設計されているため、グロメット４０をスイッチケース５０に圧入すると、挿通孔４５は十分に縮径されてリード線３０に圧接する。特に本例では、挿通孔４５内に圧接用の環状突起４６を複数形成しているため、この環状突起４６がリード線３０の外周に効果的に圧接し、挿通孔４５を通しての水の浸入を効果的に防ぐことができる。
また、スイッチケース５０の支持部５２が、２つに分離しているグロメット４０の下部４２の間に嵌め込まれ、スイッチ基板２０を下から支持する構造になっている。
【００２３】
次に、押しボタン６０の厚肉の領域６４をスイッチケース５０内に挿入し、鍔部６３をスイッチケース５０の上面に載置する（図５（ｄ）参照）。
これにより、スイッチ基板２０の周縁部は、グロメット４０と押しボタン６０の領域６４によって挟まれることになる。また、押しボタン６０の上部操作壁６１の下面が、スイッチ部品１０の操作部１１に対面することになる。
【００２４】
最後に、押しボタン６０の上からカバー部材７０を被せ、カバー部材７０の開口部７３にスイッチケース５０の嵌合突起５３を嵌め込んで、カバー部材７０をスイッチケース５０に装着する（図５（ｅ）参照）。
これにより、押しボタン６０の鍔部６３は、カバー部材７０によってスイッチケース５０の上部全周に圧縮された状態で密着し、押しボタン６０が固定される。また、カバー部材７０の上部壁７１によって押しボタン６０の領域６４が圧縮され、押しボタン６０とグロメット４０はスイッチ基板２０の外周において互いに圧接する。
【００２５】
以上のように構成される本例のプッシュスイッチ１Ａは、図２の図面上方向から下方向に押しボタン６０の上部操作壁６１が押圧されると、図６に示すように軟質の押しボタン６０が弾性変形して、スイッチ部品１０の操作部１１を下方へ押し込み、スイッチ部品１０をオンする。
【００２６】
本例のプッシュスイッチ１Ａでは、押しボタン６０の鍔部６３は、スイッチケース５０の上部全周に圧縮された状態で密着して固定されるため、鍔部６３とスイッチケース５０との間に隙間が生じ難い。
また、グロメット４０は、スイッチケース内に十分に圧縮された状態で固定されるため、グロメット４０とスイッチケース５０及びリード線３０との間にも隙間が生じ難い。
このため、スイッチ部品１０が配置された内部空間への水の浸入を効果的に防ぐことができ、従来のようなポッティング材を使用することなく高い防水機能が得られる。
【００２７】
それに加え本例のプッシュスイッチ１Ａでは、スイッチ基板２０の周縁部は、押しボタン６０とグロメット４０によって上下から挟持され、押しボタン６０とグロメット４０はスイッチ基板２０の外周全周において互いに圧接している。このため、スイッチ部品１０が配置された内部の空間は２重に密閉された状態になり、極めて信頼性の高い防水機能が得られる。
【００２８】
また、本例のプッシュスイッチ１Ａでは、グロメット４０の挿通孔４５内に圧接用の環状突起４６を形成し、グロメット全体がスイッチケース内で圧縮されるように構成しているため、グロメットが圧縮されると挿通孔４５は十分に縮径され、環状突起４６がリード線３０の周囲に効果的に圧接し、スイッチケース５０の下方からの水の浸入を極めて効果的に防ぐことができる。
【００２９】
また、本例のプッシュスイッチ１Ａでは、スイッチケース５０の支持部５２が、スイッチ基板２０を支持する構造になっているため、軟質樹脂からなるグロメット４０にスイッチ基板２０を収容していても、スイッチの押圧操作時にスイッチ基板２０が沈み込むようなことはなく、スイッチのＯＮ・ＯＦＦを確実に行うことができる。
【００３０】
（第２の実施形態例）
図７は本例のプッシュスイッチ１Ｂの断面図であり、図８はスイッチケースの斜視図であり、第１の実施形態例のプッシュスイッチ１Ａと同一構成部分には同一符号を付して重複する説明を省略する。
本例において第１の実施形態例と大きく異なる点は、第１の実施形態例ではグロメット４０を用いたが、本例ではグロメットを用いていない点である。
【００３１】
本例のスイッチケース８０は硬質樹脂で有底筒状に成形され、図８に示すように、内側にスイッチ基板２０を収容する凹部８１が設けられている。この凹部８１の深さは、スイッチ基板２０の厚みと同等である。
また、スイッチケース８０の底部にはリード線３０を引き出すための２つの挿通孔８２が設けられており、凹部８１の上周縁には押しボタン６０の領域６４に当接する段差部８３が設けられている。
また、スイッチケース８０の外周には、カバー部材７０を固定するための嵌合突起８４が複数設けられている。
【００３２】
本例のプッシュスイッチ１Ｂの組立工程を簡単に説明する。
先ず、スイッチ基板２０にスイッチ部品１０を載置して端子１３を半田付けすると共に、２本のリード線３０を半田付けする。次に、スイッチケース８０の挿通孔８２にリード線３０を通し、スイッチ基板２０をスイッチケース８０の凹部８１に嵌め込む。
次に、押しボタン６０の厚肉の領域６４をスイッチケース８０内に挿入し、鍔部６３をスイッチケース８０の上面に載置する。これにより、スイッチ基板２０の周縁部は、スイッチケース８０と押しボタン６０の領域６４によって挟まれることになる。
次に、押しボタン６０の上からカバー部材７０を被せ、カバー部材７０の開口部７３にスイッチケース８０の嵌合突起８４を嵌め込んで、カバー部材７０をスイッチケース８０に装着する。これにより、押しボタン６０の鍔部６３は、カバー部材７０によってスイッチケース８０の上部全周に圧縮された状態で密着し、押しボタン６０が固定される。また、カバー部材７０の上部壁７１によって押しボタン６０の領域６４が圧縮され、押しボタン６０とスイッチケース８０はスイッチ基板２０の外周において互いに圧接する。
本例のプッシュスイッチ１Ｂではスイッチケース８０の挿通孔８２とリード線３０との間に隙間が生じ易いため、最後に、挿通孔８２の端部にポッティング材（封止材）９０を塗布する。
【００３３】
本例のプッシュスイッチ１Ｂでは、押しボタン６０の鍔部６３は、スイッチケース８０の上部全周に圧縮された状態で密着して固定されるため、鍔部６３とスイッチケース８０との間に隙間が生じ難い。そして、有底筒状のスイッチケース８０に設けた挿通孔８２からリード線を導出しているため、ポッティング材９０の使用量を最小限に抑制しつつ信頼性の高い防水機能が得られる。また、グロメットを使用せずに防水構造を実現できるため、部材コストを削減することができる。
【００３４】
それに加え本例のプッシュスイッチ１Ｂでは、スイッチ基板２０の周縁部は、押しボタン６０とスイッチケース８０によって上下から挟持され、押しボタン６０とスイッチケース８０はスイッチ基板２０の外周全周において互いに圧接している。このため、スイッチ部品１０が配置された内部の空間は２重に密閉された状態になり、極めて信頼性の高い防水機能が得られる。
【００３５】
また、本例のプッシュスイッチ１Ｂでは、スイッチ基板２０の下面全体が硬質のスイッチケース８０によって支持する構造になっているため、スイッチの押圧操作時にスイッチ基板２０が沈み込むようなことはなく、スイッチのＯＮ・ＯＦＦを確実に行うことができる。
【００３６】
以上、本発明の２つの実施形態例を説明したが、本発明はこれらの実施形態例に限定されるものではなく、本発明の要旨を逸脱しない範囲で、適宜の変更等ができることは言うまでもない。
【符号の説明】
【００３７】
１Ａ、１Ｂ  プッシュスイッチ
１０  スイッチ部品
１１  操作部
１２  本体部
１３  端子
２０  スイッチ基板
３０  リード線
４０  グロメット
４１  上部
４２  下部
４３  凹部
４４  開口
４５  挿通孔
４６  環状突起
５０  スイッチケース
５１  段差部
５２  支持部
５３  嵌合突起
６０  押しボタン
６１  上部操作壁
６２  側壁
６３  鍔部
７０  カバー部材
７１  上部壁
７２  側周壁
７３  開口部
８０  スイッチケース
８１  凹部
８２  挿通孔
８３  段差部
８４  嵌合突起
９０  ポッティング材（封止材）
【図１】
0005681505.tif 000002
【図２】
0005681505.tif 000003
【図３】
0005681505.tif 000004
【図４】
0005681505.tif 000005
【図５】
0005681505.tif 000006
【図６】
0005681505.tif 000007
【図７】
0005681505.tif 000008
【図８】
0005681505.tif 000009
【図９】
0005681505.tif 000010